(57)【要約】  【課題】  可視光を照射しても温度上昇を防止することができ、可視光による影響を確認することが可能な光照射飼育装置、並びに、光照射飼育試験方法を提供する。  【解決手段】  本発明の光照射飼育装置１は、動物の飼育が可能な飼育空間１０と、飼育空間１０に照射可能であって可視光を含む光を発する光源１１とを有している。そして、光源１１の近傍には冷却流体が流れるものであって、冷却流体が光源１１で発生する熱を奪って外部に排出して光源１１の冷却を行うことができる。したがって、光源１１の熱によって飼育空間１０の温度上昇を防止することができる。【選択図】  図３
2007060930.tif 000002
【特許請求の範囲】
【請求項１】
動物の飼育が可能な飼育空間と、前記飼育空間に照射可能であって可視光を含む光を発する光源とを有し、光源の近傍には冷却流体が流れるものであって、冷却流体が光源の熱を奪って外部に排出して光源の冷却を行うことができることを特徴とする光照射飼育装置。
【請求項２】
光源及び飼育空間は、光を遮断する部材によって全面を覆われていることを特徴とする請求項１記載の光照射飼育装置。
【請求項３】
光源は、複数の波長においてエネルギー極大値を有する分光分布を有する可視光を含む光を発する蛍光灯が用いられていることを特徴とする請求項１又は２記載の光照射飼育装置。
【請求項４】
光源は照度を調節可能な蛍光灯が用いられていることを特徴とする請求項１〜３のいずれか記載の光照射飼育装置。
【請求項５】
光源は照度を調節可能な蛍光灯であって、蛍光灯の表面には紫外線を吸収するフィルターによって覆われていることを特徴とする請求項１〜３のいずれか記載の光照射飼育装置。
【請求項６】
光源の照度は１０００ルクス〜６０００ルクスの範囲である特徴とする請求項１〜５のいずれか記載の光照射飼育装置。
【請求項７】
飼育空間に動物を飼育可能なケージを配置することができ、冷却流体の流れる位置は、前記ケージとは離れた位置であることを特徴とする請求項１〜６のいずれか記載の光照射飼育装置。
【請求項８】
開口を有する配管部が設けられ、冷却流体を配管部に供給して前記開口から流出させることにより、光源の近傍に冷却流体が流れるものであり、さらに、前記開口には、配管部の内側から外側に延びる風向誘導板が設けられ、風向誘導板は光源の位置の方向に延びるものであることを特徴とする請求項１〜７のいずれか記載の光照射飼育装置。
【請求項９】
開口は複数設けられ、下流側の開口の大きさは、上流側の開口の大きさに比べて、小さい又は同じであることを特徴とする請求項８記載の光照射飼育装置。
【請求項１０】
開口は複数設けられ、各開口に風向誘導板が設けられ、下流側の風向誘導板の長さは、上流側の風向誘導板の長さに比べて、長い又は同じであることを特徴とする請求項８又は９記載の光照射飼育装置。
【請求項１１】
光源の下流側には吸引ファンが設けられており、光源を冷却した冷却流体を吸引ファンによって吸引するものであることを特徴とする請求項１〜１０のいずれか記載の光照射飼育装置。
【請求項１２】
吸引ファンの停止に連動して、光源の作動を停止するものであることを特徴とする請求項１１記載の光照射飼育装置。
【請求項１３】
光源を使用して、冷却流体による冷却を連続的に行った場合には、飼育空間内の温度が２８℃以下であることを特徴とする請求項１〜１２のいずれか記載の光照射飼育装置。
【請求項１４】
光源の作動状況に応じて、冷却流体による光源の冷却を行うことを特徴とする請求項１〜１３のいずれか記載の光照射飼育装置。
【請求項１５】
飼育空間に対して開閉できる扉部が設けられ、前記扉部は、貫通孔を有する本体板と、覆い板とを有し、前記覆い板は本体板の貫通孔に対して隙間を形成しつつ覆っていることを特徴とする請求項１〜１４のいずれか記載の光照射飼育装置。
【請求項１６】
飼育空間内の空気を排気することにより、扉部の本体板の貫通孔から外気の導入が可能であることを特徴とする請求項１５記載の光照射飼育装置。
【請求項１７】
排気装置によって内部の気体を排気することができる集合空間を有し、冷却流体の排気、及び、扉部の本体板の貫通孔から導入される外気との排気は、集合空間を経由して行われることを特徴とする請求項１６記載の光照射飼育装置。
【請求項１８】
請求項１〜１７のいずれか光照射飼育装置を用いて、動物に可視光を照射することを特徴とする光照射飼育試験方法。
【発明の詳細な説明】
【技術分野】
【０００１】
本発明は、飼育空間に光を照射することが可能な光照射飼育装置、並びに、光照射飼育試験方法に関するものである。
【背景技術】
【０００２】
可視光に反応する触媒の開発に伴い、可視光によって活性化された触媒の生体への影響が重要となってきている。この生体への影響として、例えば、可視光皮膚刺激性、可視光皮膚累積刺激性、可視光皮膚感作性などがある。
そして、このような、生体への影響を評価する方法として、小動物などに触媒を接触させ、光を照射して行うことが考えられる。
【０００３】
一方で、小動物などを飼育することができる飼育装置は、従来より用いられている。このような飼育装置は、例えば、特許文献１などに記載されている。
【特許文献１】実開昭６０−１９０２５９号公報
【発明の開示】
【発明が解決しようとする課題】
【０００４】
しかしながら、特許文献１などに記載されている従来の飼育装置では、上記のような試験を行うことができなかった。
すなわち、飼育装置の小動物などが収容される飼育空間では、光の波長や強度などの条件を同一条件とすることが必要であり、外部の光の影響を低減させるため、試験中は外部からの光を遮断する必要があり、遮光性の壁などで覆う必要がある。そして、通常の飼育装置では、飼育空間が視認できるように、開放部分が設けられたり、透明板で囲った構造であるので、外部からの光によって条件が変動するので、従来の飼育装置では上記のような試験を行うことができなかった。
【０００５】
また、可視光を発する光源は発熱するため、この熱によって飼育空間の温度が上昇する。さらに、外部からの光を遮断する関係上、飼育空間は壁などで覆われた空間となるので、特に温度上昇しやすい。そして、このような試験では、飼育空間の温度条件も一定にしなければ、正確な試験ができない。
【０００６】
さらに、可視光の光の強さを高照度として、触媒などの影響を確認する必要がある場合、通常の飼育装置では試験ができない。そして、従来の装置の光源を高照度となるように改造しても、光源の発熱により飼育空間の温度が上昇してしまう。
【０００７】
ところで、紫外線を小動物などに照射する試験は、従来より行われているが、このような試験は、可視光の試験に比べて照射時間が短く、また、外部の光に含まれる紫外線の強さが、試験を行う紫外線の強さに比べて極めて弱いので、開放系で試験を行うことができる。そのため、紫外線を照射する装置を用いて、上記した可視光の試験装置に適用することができない。
【０００８】
そこで本発明は、可視光を照射しても温度上昇を防止することができ、可視光による影響を確認することが可能な光照射飼育装置、並びに、光照射飼育試験方法を提供することを課題とするものである。
【課題を解決するための手段】
【０００９】
そして、上記した目的を達成するための請求項１記載の発明は、動物の飼育が可能な飼育空間と、前記飼育空間に照射可能であって可視光を含む光を発する光源とを有し、光源の近傍には冷却流体が流れるものであって、冷却流体が光源の熱を奪って外部に排出して光源の冷却を行うことができることを特徴とする光照射飼育装置である。
【００１０】
請求項１に記載の発明によれば、動物の飼育が可能な飼育空間と、前記飼育空間に照射可能であって可視光を含む光を発する光源とを有するものであるので、飼育空間に飼育される動物に可視光を照射することができ、また、光源の近傍には冷却流体が流れるものであって、冷却流体が光源の熱を奪って外部に排出して光源の冷却を行うことができるので、光源の熱によって飼育空間の温度上昇を防止することができる。
【００１１】
請求項２に記載の発明は、光源及び飼育空間は、光を遮断する部材によって全面を覆われていることを特徴とする請求項１記載の光照射飼育装置である。
【００１２】
請求項２に記載の発明によれば、光源及び飼育空間は、光を遮断する部材によって全面を覆われているので、飼育空間で飼育される動物に対し、外部からの可視光による影響を防止し、光源の光だけを照射することができる。
【００１３】
請求項３に記載の発明は、光源は、複数の波長においてエネルギー極大値を有する分光分布を有する可視光を含む光を発する蛍光灯が用いられていることを特徴とする請求項１又は２記載の光照射飼育装置である。
【００１４】
請求項３に記載の発明によれば、光源は、複数の波長においてエネルギー極大値を有する分光分布を有する可視光を含む光を発する蛍光灯が用いられているので、前記可視光による影響を確認することができる。
【００１５】
請求項４に記載の発明は、光源は照度を調節可能な蛍光灯が用いられていることを特徴とする請求項１〜３のいずれか記載の光照射飼育装置である。
【００１６】
請求項４に記載の発明によれば、光源は照度を調節可能な蛍光灯が用いられているので、試験条件を変えて試験することができる。
【００１７】
請求項５に記載の発明は、光源は照度を調節可能な蛍光灯であって、蛍光灯の表面には紫外線を吸収するフィルターによって覆われていることを特徴とする請求項１〜３のいずれか記載の光照射飼育装置である。
【００１８】
請求項５に記載の発明によれば、光源は照度を調節可能な蛍光灯であって、蛍光灯の表面には紫外線を吸収するフィルターによって覆われているので、動物に対して紫外線の影響がなく、正確な試験を行うことができる。
【００１９】
光源の照度を１０００ルクス〜６０００ルクスの範囲にすることができる（請求項６）。
【００２０】
請求項７に記載の発明は、飼育空間に動物を飼育可能なケージを配置することができ、冷却流体の流れる位置は、前記ケージとは離れた位置であることを特徴とする請求項１〜６のいずれか記載の光照射飼育装置である。
【００２１】
請求項７に記載の発明によれば、冷却流体の流れる位置は、飼育空間に動物を飼育可能なケージとは離れた位置であるので、冷却流体の流れが動物に当たって試験結果に影響を及ぼすおそれがない。
【００２２】
請求項８に記載の発明は、開口を有する配管部が設けられ、冷却流体を配管部に供給して前記開口から流出させることにより、光源の近傍に冷却流体が流れるものであり、さらに、前記開口には、配管部の内側から外側に延びる風向誘導板が設けられ、風向誘導板は光源の位置の方向に延びるものであることを特徴とする請求項１〜７のいずれか記載の光照射飼育装置である。
【００２３】
請求項８に記載の発明によれば、冷却流体を配管部に供給して開口から流出させ、配管部の内側から外側に延びる風向誘導板が設けられ、風向誘導板は光源の位置の方向に延びるものであるので、冷却流体がより確実に光源の近傍を流れ、光源の冷却を行うことができる。
【００２４】
請求項９に記載の発明は、開口は複数設けられ、下流側の開口の大きさは、上流側の開口の大きさに比べて、小さい又は同じであることを特徴とする請求項８記載の光照射飼育装置である。
【００２５】
請求項９に記載の発明によれば、開口は複数設けられ、下流側の開口の大きさは、上流側の開口の大きさに比べて、小さい又は同じであるので、下流側と上流側との流れの差を小さくすることができる。
【００２６】
請求項１０に記載の発明は、開口は複数設けられ、各開口に風向誘導板が設けられ、下流側の風向誘導板の長さは、上流側の風向誘導板の長さに比べて、長い又は同じであることを特徴とする請求項８又は９記載の光照射飼育装置である。
【００２７】
請求項１０に記載の発明によれば、下流側の風向誘導板の長さは、上流側の風向誘導板の長さに比べて、長い又は同じであるので、下流側と上流側との流れの差を小さくすることができる。
【００２８】
請求項１１に記載の発明は、光源の下流側には吸引ファンが設けられており、光源を冷却した冷却流体を吸引ファンによって吸引するものであることを特徴とする請求項１〜１０のいずれか記載の光照射飼育装置である。
【００２９】
請求項１１に記載の発明によれば、光源の下流側には吸引ファンが設けられており、光源を冷却した冷却流体を吸引ファンによって吸引するものであるので、光源の近傍に流れる冷却流体の流れを安定化させ、冷却流体が別の方向に流れることを防ぐことができる。
【００３０】
請求項１２に記載の発明は、吸引ファンの停止に連動して、光源の作動を停止するものであることを特徴とする請求項１１記載の光照射飼育装置である。
【００３１】
請求項１２に記載の発明によれば、吸引ファンの停止に連動して、光源の作動を停止するので、光源が作動している状態で吸引ファンが停止することを防止して、飼育空間の温度上昇を防止することができる。
【００３２】
請求項１３に記載の発明は、光源を使用して、冷却流体による冷却を連続的に行った場合には、飼育空間内の温度が２８℃以下であることを特徴とする請求項１〜１２のいずれか記載の光照射飼育装置である。
【００３３】
請求項１３に記載の発明によれば、光源を使用して、冷却流体による冷却を連続的に行った場合には、飼育空間内の温度が２８℃以下であるので、動物の飼育を行える温度とすることができる。
【００３４】
請求項１４に記載の発明は、光源の作動状況に応じて、冷却流体による光源の冷却を行うことを特徴とする請求項１〜１３のいずれか記載の光照射飼育装置である。
【００３５】
請求項１４に記載の発明によれば、光源の作動状況に応じて、冷却流体による光源の冷却を行うものであるので、光源を停止し続けている状態で冷却流体による光源の冷却がされないようにすることができ、飼育空間の温度低下を防止することができる。
【００３６】
請求項１５に記載の発明は、飼育空間に対して開閉できる扉部が設けられ、前記扉部は、貫通孔を有する本体板と、覆い板とを有し、前記覆い板は本体板の貫通孔に対して隙間を形成しつつ覆っていることを特徴とする請求項１〜１４のいずれか記載の光照射飼育装置である。
【００３７】
請求項１５に記載の発明によれば、貫通孔を有する本体板と、覆い板とを有する扉部が設けられ、前記覆い板は本体板の貫通孔に対して隙間を形成しつつ覆っているので、外部からの光を遮断しつつ換気のための隙間を形成することができる。
【００３８】
また、飼育空間内の空気を排気することにより、扉部の本体板の貫通孔から外気の導入を行うこともできる（請求項１６）。
【００３９】
請求項１７に記載の発明は、排気装置によって内部の気体を排気することができる集合空間を有し、冷却流体の排気、及び、扉部の本体板の貫通孔から導入される外気との排気は、集合空間を経由して行われることを特徴とする請求項１６記載の光照射飼育装置である。
【００４０】
請求項１７に記載の発明によれば、排気装置によって内部の気体を排気することができる集合空間を有し、冷却流体の排気、及び、扉部の本体板の貫通孔から導入される外気との排気は、集合空間を経由して行われるものであるので、集合空間の排気を行うことにより、両者の排気を行うことができる。
【００４１】
また、請求項１〜１７のいずれか光照射飼育装置を用いて、動物に可視光を照射して光照射飼育試験を行うことができる（請求項１８）。
【発明の効果】
【００４２】
本発明の光照射飼育装置によれば、可視光を照射しても飼育空間の温度上昇を防止することができ、可視光による影響を確認することができる。
【発明を実施するための最良の形態】
【００４３】
以下さらに本発明の具体的実施例について説明する。
図１は、本発明の第１の実施形態における光照射飼育装置を用いた光照射飼育システムの斜視図である。図２は、図１に示す光照射飼育装置の斜視図である。図３は、図１に示す光照射飼育装置の断面図である。図４、図５は、図１に示す光照射飼育装置の内部の一部を示す斜視図である。図６は、冷却流体の流れ（第１の流れ）を示した説明図である。図７は、外気の流れ（第２の流れ）を示した説明図である。図８は、（ａ）が配管部の正面図、（ｂ）が（ａ）のＡ−Ａ断面図である。図９は、風向誘導板を示した斜視図である。
【００４４】
本発明の第１の実施形態における光照射飼育装置１は、図１、図２に示されるように、箱状の装置であり、内部に飼育空間１０が設けられている。そして、この飼育空間１０内に、小動物を入れて飼育することができるものである。
また、図１に示されるように、光照射飼育装置１は、冷却気発生装置６及び排気装置７と配管９０、９１により接続されて使用するものであり、光照射飼育装置１、冷却気発生装置６及び排気装置７により光照射飼育システム５となる。
【００４５】
図１、図２に示されるように、光照射飼育装置１は上下３段構造になっていて、後述するように、各段ごとに飼育空間１０が形成され、さらに、各段ごとに２枚の扉部２０が設けられている。各段の２枚の扉部２０は観音開きとなるように、飼育空間１０に対して開閉することができる。また、扉部２０の外側には、取っ手２１が設けられており、取っ手２１を握って扉部２０を開閉することができる。
【００４６】
図３に示すように、飼育空間１０の上下には水平板６５が配置されており、上下に隣接する飼育空間１０を仕切っている。また、光照射飼育装置１の後側の面には、後述する集合部材５１が配置しており、また、図２に示すように、側面には側板６６が配置している。
そして、飼育空間１０及び光源１１は、扉部２０、水平板６５、側板６６及び集合部材５１によって全面が囲まれており、また、これらの部材は、ステンレスなどの可視光を透過させない、光を遮断する材質のものが用いられている。
【００４７】
扉部２０には、本体板２２と覆い板２３とが設けられている。本体板２２及び覆い板２３は、具体的にはステンレス板であり、可視光を透過させない。また、本体板２２には、横方向に配列する３ヵ所の円形の貫通孔２２ａを有している。
覆い板２３は本体部２２の内側に位置しており、Ｌ字板であって水平部２３ａと垂直部２３ｂとが形成されている。そして、水平部２３ａが扉部２０に固定され、垂直部２３ｂが扉部２０と離れた状態となっている。また、本体板２２と垂直部２３ｂとはそれぞれの面が互いに平行となるように配置されている。
【００４８】
本体板２２の貫通孔２２ａは覆い板２３の垂直部２３ｂよりも小さく、図３に示されるように、扉部２０を正面から見ると、覆い板２３の垂直部２３ｂが貫通孔２２ａを覆うような位置関係である。そのため、扉部２０を閉じた状態では、貫通孔２２ａから内部の飼育空間１０は見えず、また外部の光は飼育空間１０内に入らない。
一方で、垂直部２３ｂと本体板２２は離れて隙間が形成されているので、扉部２０の外部と飼育空間１０との間で、気体の出入りが可能である。
【００４９】
各段の飼育空間１０は、６ヵ所のエリア１０ａを有しており、各エリア１０ａはほぼ同じ大きさである。そして、各エリア１０ａに対応するようにして、貫通孔２２ａが配置されている。
また、後述するケージ３０は小動物の大きさによって、異なる大きさのものが用いられるが、このケージ３０は大きさに応じて、１つのエリア１０ａ、又は、隣り合う複数のエリア１０ａを用いて配置される。したがって、小動物の大きさが異なる場合であっても、効率的に配置することができる。例えば、１つのエリア１０ａに対応するケージ３０を用いてモルモットの試験を行うことができ、この場合には、各段ごとに６匹の試験を行うことができる。また、２つのエリア１０ａに対応するケージ３０を用いてウサギの試験を行うことができ、この場合には、各段ごとに３匹の試験を行うことができる。さらに、３つのエリア１０ａに対応するケージ３０を用いてさらに大きなものの試験を行うことができる。なお、図５に示されるケージ３０は、１つのエリア１０ａに対応して設けられるものである。
【００５０】
光照射飼育装置１の内部の構造は、図３、図４に示されている。そして、飼育空間１０の各段の上部に光源１１が配置されており、光源１１から発する光を、飼育空間１０に照射することができる。
光源１１は、可視光を含む光を有する光を発することができるものである。特に、本実施形態における光源１１が発する可視光の波長は、４００ｎｍ〜８００ｎｍである。
【００５１】
そして、光源１１が発する照度は、飼育空間１０に配置されるケージ３０内で１０００ルクス以上である。また、光源１１の照度は、１５０ルクス以上であり、より好ましくは５００ルクスから１００００間での範囲であり、特に好ましくは１０００ルクスから６０００ルクスまでの範囲である。この照度の調整は、可能であっても良く、当該調整は図示しない調整手段によって、各段の飼育空間１０の光源１１ごとに行うことができ、さらに、この調整手段によって光源１１の稼働時間の調整も行うことができる。
【００５２】
光源１１は、例えば、複数の波長においてエネルギー極大値を有する分光分布を有する可視光を含む光を有する蛍光灯であり、具体的には家庭用一般の蛍光灯であり、その表面には紫外線を吸収して可視光を通過させることができるフィルターによって覆われている。そのため、光源１１から発して飼育空間１０へ照射される光（すなわち、青色領域（４００ｎｍ付近）、緑色領域（５５０ｎｍ付近）及び桃色領域（６５０ｎｍ付近）においてエネルギー極大値を有する可視光を含む光）には紫外線がほとんど含まない。そのため、光照射飼育装置１を用いて光照射飼育試験を行う際に、紫外線の影響を低減させることができる。
【００５３】
図４に示されるように、各エリア１０ａごとに、棒状の光源１１が３本ずつ並べられており、各段の光源１１は１８本使用されている。また、棒状である光源１１の向きは前後方向となっている。そして、光照射飼育装置１に使用される光源１１は全て同じものが用いられている。
また、本実施形態の光照射飼育装置１では、各段の飼育空間１０の光源１１ごとに、光源１１の作動や照度を変更することができる。したがって、各段ごとに別々の条件で試験を行うことができる。
【００５４】
また、図５に示されるように、光照射飼育装置１の飼育空間１０の上部には、ガイドレール３１が設けられている。ガイドレール３１は、断面がコの字状であって前後方向に延びるように設けられている。またガイドレール３１は、各エリア１０ａごとに一対ものが設けられ、開放側が互いに内側となるように配置されている。そして、一対のガイドレール３１は、互いに平行となるように横方向に並んだ状態で配置している。
【００５５】
光照射飼育装置１に用いられるケージ３０は、ステンレス製の網でできた箱状のものであって、内部に小動物収容空間３０ａが形成されるものである。したがって、ケージ３０内の小動物収容空間３０ａに収容される小動物に光源１１の光を照射することができる。また、ケージ３０の上部には、横方向に突出する突条部３２が両側の２ヵ所に形成されている。そして、突条部３２をガイドレール３１の内部３１ｂに進入させることにより、ガイドレール３１の下板部３１ａの上に突条部３２が載った状態となり、ケージ３０をぶら下がった状態で飼育空間１０に配置することができる。
【００５６】
ケージ３０には、開閉部３０ｂが設けられ、小動物収容空間３０ａに小動物を出し入れする場合には、開閉部３０ｂを開けて行う。本実施形態のケージ３０では、開閉部３０ｂは上部に設けられている。
また、ケージ３０には、給餌部３０ｃが設けられ、小動物収容空間３０ａに収容されている小動物に対して、給餌部３０ｃから餌を与えることができる。
【００５７】
光照射飼育装置１では、外部から空気が導入され、飼育空間１０などの光照射飼育装置１の内部を通過して、再び外部に排出される。本実施形態では、この気体には空気が用いられており、この空気の流れは、以下に示すように、主として２種類の流れがある。
【００５８】
第１の流れは、図６に示される流れであり、冷却流体である冷却気発生装置６から供給される空気の流れであり、主として、光源１１の冷却に用いられるものである。また、第２の流れは、扉部２０の貫通孔２２ａから入る空気の流れであり、図７に示される流れであり、主として、飼育空間１０の換気に用いられるものである。
【００５９】
第１の流れに用いられる空気は、冷却気発生装置６から供給されるものであり、冷却流体となるものである。この冷却気発生装置６から供給される空気は冷やして所定の温度に調節することができ、光照射飼育装置１が使用される雰囲気温度が高い場合にも、低温の空気を供給することができる。また、冷却気発生装置６から供給される空気は強制的に送風され、冷却気導入部４０へ流れ、光照射飼育装置１内に導入される。
【００６０】
冷却気導入部４０は、配管部４１と接続されている。配管部４１は各段の飼育空間１０の上部であって扉部２０側に配置されており、冷却気導入部４０から入った空気は分岐して、各配管部４１に流れる。そして、配管部４１には、開口４２が設けられており、開口４２から吹き出して飼育空間１０側へと空気が流れる。
【００６１】
開口４２は、正方形乃至長方形状の貫通孔であり、飼育空間１０のエリア１０ａに対応して設けられるものであり、各段６ヵ所、合計１８ヵ所が形成されている。また、各開口４２付近には、風向誘導板４３が設けられている。風向誘導板４３は、開口４２の下流側に配置される板である。そして、風向誘導板４３は、配管部４１の内側から外側に延びるように、光源１１の位置の方向に向かって延びている。
そして、風向誘導板４３によって、配管部４１内部の空気の一部を開口４２側に誘導し、空気の吹き出しの向きを、前後方向に向いている棒状の光源１１の向きと平行となるようにすることができる。
【００６２】
開口４２の大きさや風向誘導板４３の長さを、開口４２の設けられる位置により異なるものを用い、開口４２から吹き出す空気の流速をほぼ同じとすることができる。これは、開口４２の大きさや風向誘導板４３の長さが同じであった場合、冷却気導入部４０からの距離が遠いほど、空気の吹き出しの量が少なくなり、また、流速が小さくなる。
そこで、図８に示すように、下流側（冷却気導入部４０からの距離が遠い位置）のものを、上流側（冷却気導入部４０からの距離が近い位置）のものに比較して、開口４２を小さい又は同じにし、風向誘導板４３の長さを長い又は同じにして、流量や流速などを合わせることができる。
なお、この開口４２の大きさや風向誘導板４３の長さは、配管部４１や供給される空気の流量に応じて調整することができる。
【００６３】
風向誘導板４３の配管部４１への取り付けは、特に限定されるものでないが、例えば、図９に示されるような構造を採用することができる。具体的には、２枚のＬ状板４３ａ、４３ｂにそれぞれ貫通孔４４を設け、また、配管部４１の開口４２付近には固定用貫通孔４５を設け、貫通孔４４及び固定用貫通孔４５にボルト４６を挿通して、ナット４７で固定する。
【００６４】
そして、開口４２から流出して吹き出された空気は、図３、図４に示されるように、飼育空間１０の上部を通過して、光源１１を冷却し、吸引ファン５０側へと流れる。吸引ファン５０は、扉部２２とは反対側であって、開口４２の位置に対応して設置されているので、開口４２から吹き出した空気は前後方向に流れる。
【００６５】
さらに、吸引ファン５０によって吸引された空気は、光照射飼育装置１の裏面側に位置する集合空間５２に向かって流れ、集合空間５２から排出部５３へと流れる。
この集合空間５２は、２枚の長方形状の平板５５、５６と、その縁に設けられる縁板５７からなる集合部材５１によって形成されるものである。そして、図３に示されるように、集合部材５１の飼育空間１０側の平板５５には貫通孔５８が設けられ、吸引ファン５０が平板５５の貫通孔５８付近に固定されており、吸引ファン５０によって吸引された空気が貫通孔５８を通過して集合空間５２に流れる。
【００６６】
そして、集合空間５２から排出部５３へと流れ、図１に示すように、排気装置７により排気される。
このように、開口４２から吸引ファン５０の間に、冷却気発生装置６から供給された空気が流れる流路が形成されて、光源１１を効率よく冷却する。特に、開口４２付近に設けられた風向誘導板４３や吸引ファン５０によって、空気の流れが前から後となるような向きとなり、棒状の光源１１に沿うような流れができるので、より簡単な構造で、効率よく冷却することができる。
また、第１の流れでは、後述する第２の流れよりも多くの空気が流れ、流速が早い。そのため、光源１１を冷却するだけでなく、光源１１で発生する熱の拡散を防止する。
そして、光源１１の熱は、開口４２から吸引ファン５０に流れる空気によって奪われて、光源１１による飼育空間１０の温度上昇を防ぐ。
【００６７】
また、光源１１を冷却するための気体は、空気が用いられているので、光源１１からケージ３０の小動物収容空間３０ａ内の小動物に照射される場合に、照射される光の波長を安定させることができる。
すなわち、光源１１を冷却するための気体として、空気以外の冷却流体を用いた場合、かかる流体と空気との間で可視光の吸収が異なり、光源１１から小動物収容空間３０ａへの光路における空気以外の冷却流体の濃度の変動により、照射される光の波長が変動してしまう。そのため、光源１１を冷却するための気体として、空気を用いることが望ましく、空気を用いることで照射される光の波長を安定させることができる。
【００６８】
第２の流れは、主として飼育空間１０内の換気を目的とするものである。
第２の流れに用いられる空気は、扉部２０付近の外気であり、扉部２０の貫通孔２２ａから入る。この空気は、排気装置７により吸引されることにより、光照射飼育装置１内が大気圧より低くなって減圧状態となることにより発生するものである。そして、上記した第１の流れで外部の空気が導入される部分である冷却気導入部４０とは異なる場所から空気が入る。また、第１の流れのように、冷却気発生装置６を用いて強制的に送風されるものでないので、第２の流れは第１の流れよりも弱く、流量も小さい。
【００６９】
また、扉部２０の貫通孔２２ａの飼育空間１０側には、覆い板２３が設けられているので、図３に示されるように、貫通孔２２ａから入った空気は、覆い板２３に当たって向きを変え、扉部２０の本体部２２と覆い板２３との隙間を通って、飼育空間１０へと流れる。
【００７０】
図３に示されるように、第２の流れによって、貫通孔２２ａから入った空気は飼育空間１０を通過し、集合部材５１の飼育空間１０側の平板５５に設けられた貫通孔６０から集合空間５２に至る。貫通孔６０は扉部３０に設けられた貫通孔２２ａと同様な形状であり、貫通孔２２ａの前後方向に対応する位置に設けられている。また、貫通孔６０の集合空間５２側には、覆い板６１が設けられている。覆い板６１は、扉部２０に設けられる覆い板２３と同様な構造である。
【００７１】
すなわち、覆い板６１は、Ｌ字板であって水平部６１ａと垂直部６１ｂとが形成されており、水平部６１ａが平板５５に固定され、垂直部６１ｂが平板５５と離れた状態となっている。また、平板５５と垂直部６１ｂとはそれぞれの面が互いに平行となるように配置されている。
貫通孔６０は覆い板６１の垂直部６１ｂよりも小さく、正面から見ると、覆い板６１の垂直部６１ｂが貫通孔６０を覆うような位置関係である。また、垂直部６１ｂと平板５５は離れているので、飼育空間１０と集合空間５２との間で、気体の出入りが可能である。
【００７２】
また、貫通孔２２ａ、６０の位置は、飼育空間１０の比較的下側であり、飼育空間１０に形成される貫通孔２２ａと貫通孔６０との間に形成される空気の流れは、ケージ３０の下側であって、ケージ３０と水平板６５との間に形成される。
【００７３】
なお、第１の流れにおける開口４２から吸引ファン５０の間の流れと、第２の流れにおける貫通孔２２ａから貫通孔６０の間の流れとは、仕切などによって仕切られていない。しかしながら、第１の流れと第２の流れとの間で、互いの空気が混合することはほとんどなく、開口４２から入った空気は吸引ファン５０へ、貫通孔２２ａから入った空気は貫通孔６０へ流れる。これは、第１の流れにおける開口４２から入る空気は、第２の流れにおける貫通孔２２ａから入る空気よりも流量が多いが吸引ファン５０によって強制的に吸引されるものであり、また、飼育空間１０における第１の流れと第２の流れとの間が離れているからである。
【００７４】
また、第１の流れにおける開口４２から吸引ファン５０の間の流れと、第２の流れにおける貫通孔２２ａから貫通孔６０の間の流れとは、ケージ３０内を流れる可能性もあるが、その場合には、流速はケージ３０内の小動物に影響を与えないような小さいもの（例えば、約０．２ｍ／ｓ程度以下）に調整すればよい。
【００７５】
そして、集合空間５２に入った空気は、上記した第１の流れの空気と同様に、集合空間５２から排出部５３へと流れ、排気装置７により排気される。
このように、第１の流れ及び第２の流れは、いずれも集合空間５２を経由するものであり、冷却気導入部４０から入った冷却流体である空気も、貫通孔２２ａから入る空気も、集合空間５２に入った後に排気されるので、これらの排気を１つの排気装置７で行うことができる。
【００７６】
上記の光照射飼育装置１を用いて、光照射飼育試験を行う方法について説明する。
まず、光照射飼育試験を行うための小動物を準備する。この小動物は、特に限定されるものでなく、マウス、ラット、モルモット及びウサギなどの哺乳類の動物を用いることができる。そして、小動物の皮膚などに薬剤を塗布する。なお、この薬剤の塗布は任意であり、薬剤を塗布しないで試験することもできる。
【００７７】
そして、上記の小動物を開閉部３０ｂを開けてケージ３０の小動物収容空間３０ａに入れ、これを光照射飼育装置１の飼育空間１０に配置する。この作業は、扉部２０を開けてケージ３０を配置し、ケージ３０の配置の後、扉部２０を閉めて行う。このとき、ケージ３０の給餌部３０ｃが扉部２０側となるようにする。なお、ケージ３０の大きさは、上記したように、小動物の大きさによって選定される。
【００７８】
また、図１に示すように、光照射飼育装置１、冷却気発生装置６及び排気装置７を接続して、冷却気発生装置６及び排気装置７を稼働させて、冷却空気や外気を導入して排気することができる状態とする。また、光照射飼育装置１の光源１１及び吸引ファン５０を作動させる。
そうすると、飼育空間１０内にいる小動物は一定の可視光を照射される状態となる。また、この照射を連続的に行った場合にも、冷却気発生装置６から供給される空気によって光源１１の熱を奪って外部に排出して光源１１を冷却することができ、光源１１からの熱による飼育空間１０内の温度上昇を防止することができる。
【００７９】
本実施形態の光照射飼育装置１では、光源１１を使用する場合であっても、上記した冷却流体による冷却により、飼育空間１０内の温度を２８℃以下とすることができ、熱により小動物に影響を与えることがない。
【００８０】
光源１１による照射条件は、試験の内容に応じて適宜変更することができる。具体的な条件としては、光源１１の照射時間、光源１１の照度、光源１１の照射時間と消灯時間のサイクル数などである。
具体的には、６０００ルクスの照射を１日１２時間行い、これを繰り返し（例えば３日間）行う方法がある。
なお、本実施形態の光照射飼育装置１で飼育空間１０の温度を測定したところ、２４〜２５℃であり、動物飼育温度の上限である２８℃以下である。また、小動物に上記条件で５週間飼育し、飼育後の小動物を照射無しのものと動物を検査して比較したところ、一般性状、体重推移、摂餌量、血液生化学および血液学的検査について顕著な差は認められなかった。
【００８１】
また、小動物の皮膚などに行う薬剤の塗布を、試験途中に行うなどにより、複数回行うことができる。
例えば、６０００ルクスの照射を１日１２時間行い、毎日、薬剤の塗布を行い、これを繰り返し行う方法がある。
【００８２】
そして、このような照射条件は、図示しない制御装置などで制御することができ、タイマー運転や予約運転などを行うことができる。また、吸引ファン５０の作動と光源１１の作動を連動するようにして、吸引ファン５０が故障などにより停止した場合に、光源１１を停止するようにして、飼育空間１０の温度上昇を防止するようにすることができる。さらに、光源１１の作動時間に応じて、吸引ファン５０や冷却気発生装置６を制御させて、光源１１の冷却を行い、光源１１が停止状態から長時間に吸引ファン５０や冷却気発生装置６が作動しないようにし、飼育空間１０内の温度が低下しすぎないようにすることができる。
また、本実施形態の光照射飼育装置１では、各段の飼育空間１０の光源１１ごとに、光源１１の作動や照度を変更することができるが、これらの設定も行うことができる。
【００８３】
試験中に、給餌を行う場合には、ケージ３０の給餌部３０ｃから行う。給餌部３０ｃは、扉部２０側に配置されているので、扉部２０を開けて餌を与えることができる。
また、ケージ３０の下の水平板６５上に、糞や尿のためのトレーを配置することができ、適宜、洗浄、交換して飼育環境を維持することができる。
また、図示しない、給水栓を接続して、小動物収容空間３０ａ内の小動物に自動給水するようにすることもできる。
【００８４】
そして、光照射飼育試験の終了後、ケージ３０から小動物を取り出して、小動物の皮膚について異常が無いかどうかを確認して、評価を行う。
この評価の方法として、評価対象の薬剤とは別に、ベンゾ（ａ）ピレンについても同様の試験を行い、ベンゾ（ａ）ピレンの結果と比較する方法を用いることができる。
【００８５】
このように、本発明の光照射飼育装置１を用いて光照射飼育試験を行うことにより、外部から光の影響を受けることなく、光源１１から発生する熱による、飼育空間１０内の温度上昇を防止しながら試験することができる。
【００８６】
上記実施形態では、光源１１の冷却に用いる冷却気体は、冷却気発生装置６により発生する冷却空気を用いたが、他の気体を用いることができる。また、水など液体を霧状としたミストを用いて光源１１の冷却を行ってもよい。
なお、空気以外の気体やミストを用いる場合には、空気とは異なる可視光の吸収があるので、このような吸収を前提とした光を発生させる光源１１を用いる必要がある。
【００８７】
さらに、光源１１が配置される領域と、ケージ３０が配置されて小動物が収容される領域との間に仕切を設けることもできる。この場合、光源１１の冷却を効率的に行うことができる。なお、この仕切は、可視光を透過させるものである必要があり、仕切による可視光の吸収がある場合には、この吸収を前提とした光を発生させる光源１１を用いる必要がある。
【００８８】
また、光源１１を冷却するための冷却気体の流れは、他の方法を採用することもでき、光源１１の熱を冷却気体によって奪うことができればよい。例えば、光源１１の側方から光源１１に向かって冷却気体を吹き付ける方法などを採用することができる。
【００８９】
そして、上記実施形態では、光源１１を冷却するための気体の流れである第１の流れ以外に、主として飼育空間１０内の換気を目的とするものである第２の流れを形成することができるものであるが、換気が不要などの場合には、第２の流れを形成しなくてもよい。
【図面の簡単な説明】
【００９０】
【図１】本発明の第１の実施形態における光照射飼育装置を用いた光照射飼育システムの斜視図である。
【図２】図１に示す光照射飼育装置の斜視図である。
【図３】図１に示す光照射飼育装置の断面図である。
【図４】図１に示す光照射飼育装置の内部の一部を示す斜視図である。
【図５】図１に示す光照射飼育装置の内部の一部を示す斜視図である。
【図６】冷却流体の流れ（第１の流れ）を示した説明図である。
【図７】外気の流れ（第２の流れ）を示した説明図である。
【図８】（ａ）が配管部の正面図、（ｂ）が（ａ）のＡ−Ａ断面図である。
【図９】風向誘導板を示した斜視図である。
【符号の説明】
【００９１】
１  光照射飼育装置
７  排気装置
１０  飼育空間
１１  光源
２０  扉部
２２  本体板
２２ａ  貫通孔
３０  ケージ
４１  配管部
４２  開口
４３  風向誘導板
５０  吸引ファン
５２  集合空間
【図１】
2007060930.tif 000003
【図２】
2007060930.tif 000004
【図３】
2007060930.tif 000005
【図４】
2007060930.tif 000006
【図５】
2007060930.tif 000007
【図６】
2007060930.tif 000008
【図７】
2007060930.tif 000009
【図８】
2007060930.tif 000010
【図９】
2007060930.tif 000011